(57)【特許請求の範囲】
【請求項１】
ドラムヘッドに対して接離されるドラム用響線において、
響線を一対の支持部材間に複数回繰り返し折り曲げて掛け渡された１本の長い線材によって形成することにより一連に連続させたことを特徴とするドラム用響線。
【請求項２】
請求項１記載のドラム用響線において、
線材の折曲げ部分を支持部材によって摺動自在に支持したことを特徴とするドラム用響線。
【請求項３】
ドラムヘッドに対して接離されるドラム用響線において、
響線を一対の支持部材間に掛け渡された複数本のリング状線材によって形成したことを特徴とするドラム用響線。
【請求項４】
請求項１，２または３記載のドラム用響線において、
響線の張力を調整する調整機構を備えていることを特徴とするドラム用響線。
【請求項５】
請求項１，２，３または４記載のドラム用響線を備えていることを特徴とするドラム。
【発明の詳細な説明】
【０００１】
【発明の属する技術分野】
本発明は、コンサート用スネアードラム、マーチングドラム、バスドラム、タムタム等のドラムに用いられるドラム用響線およびドラムに関する。
【０００２】
【従来の技術】
一般にスネアードラムと呼ばれるドラムは、非打面側ドラムヘッド、すなわち裏面側ドラムヘッドにドラム用響線を装着したものである。また、中には打面側（表面側）と非打面側のドラムヘッドにドラム用響線を装着したものと、打面側のみに装着したものもスネアードラムと呼ぶことができる。
【０００３】
図７に従来のスネアードラムを示す。このスネアードラム１は、ドラム用響線３をバッケン機構４によって裏面側ドラムヘッド２の表面に選択的に接触離間させることにより裏面側ドラムヘッド２の振動をドラム用響線３に伝えて楽器に特有なぱらぱらという軽快な音色をもたらす、いわゆるタブリング効果と称する特殊音響効果を得るようにしている（実公昭５８−５０３７２号公報等）。
【０００４】
ドラム用響線３は、細い複数本の響線３ａ〜３ｎからなり、これらの響線３ａ〜３ｎを軸線と直交する方向に適宜な間隔をおいて並設し、図８に示すように一対の支持部材５ａ，５ｂ間に張設している。ここで、図８（ａ）は響線３ａ〜３ｎの端部を各支持部材５ａ，５ｂにそれぞれ半田付け等によって固定した例を示し、図８（ｂ）は響線３ａ〜３ｎの一端を一方の支持部材５ａに固定し、他端を他方の支持部材５ｂに調整ねじ６によって張力調整可能に連結した例を示す。
【０００５】
ドラム用響線３の材質としては、図８（ａ）に示すようにコイル状に巻いた細いスチール線と、図８（ｂ）に示すようにナイロン（商標名）等の合成樹脂等によって形成された直線状のワイヤ等が知られている。コイル状のスチール線はドラムヘッドに対して点状に接触するため、外部振動、例えば雑音、ベースアンプ、ギターアンプ等の音圧、ノイズ等に対して非常に敏感に感応し共振を起こし易い。一方、直線状のワイヤはドラムヘッドに対して線状に接触するためコイル状のスチール線に較べて外部振動に対する共振性が少ない。そのため、マーチング用ドラムではバリエーションとして直線状のワイヤを使用している。
【０００６】
【発明が解決しようとする課題】
上記した通り、従来のドラム用響線３はコイル状のスチール線または直線状のワイヤからなる複数本の響線３ａ〜３ｎを備え、これらの響線を１本ずつ支持部材５ａ，５ｂに半田付けするかまたは調整ねじ６によって張力調整可能に固定していた。このため、その取付作業が煩わしく長時間を要するばかりか、全ての響線３ａ〜３ｎの張力を均一に揃えることが難しいという問題があった。また、響線３ａ〜３ｎの長さをドラム径より長くすることができず、そのため振動が抑制され、減衰時間が短いという問題もあった。
【０００７】
本発明は上記した従来の問題を解決するためになされたもので、その目的とするところは、支持部材に対する取付作業および張力調整作業が容易で均一な張力を得ることができ、また長さを音響効果に応じた長さに自由に調整することができ、しかも振動の減衰時間が長く大きな音量を得ることができるようにしたドラム用響線およびドラムを提供することにある。
【０００８】
【課題を解決するための手段】
上記目的を達成するために第１の発明に係るドラム用響線は、ドラムヘッドに対して接離されるドラム用響線において、響線を一対の支持部材間に繰り返し折り曲げて掛け渡された１本の長い線材によって形成することにより一連に連続させたことを特徴とする。
このような構成においては、全ての響線が一連に連続しているので、振動の減衰が長く大きな音量が得られ、従来とは異なった音響効果が得られる。
線材としては、コイル状または直線状の金属製ワイヤ、ギター巻線、アラミド繊維線（ケブラー線）、ナイロン等の合成樹脂ワイヤ等が用いられる。
【０００９】
第２の発明に係るドラム用響線は、上記第１の発明において、線材の折り曲げ部分を支持部材によって摺動自在に支持したことを特徴とする。
このような構成においては、線材の両端のみが固定されているので、余分な負荷が加わらず自由な振動が得られる。また、各響線の張力を均一に揃えることができる。
【００１０】
第３の発明に係るドラム用響線は、ドラムヘッドに対して接離されるドラム用響線において、響線を一対の支持部材間に掛け渡された複数本のリング状線材によって形成したことを特徴とする。
このような構成においては、リング状線材を支持部材間に掛け渡すだけでよい。また、１本のリング状線材は２本の響線として用いられる。
【００１１】
第４の発明に係るドラム用響線は、上記第１、第２または第３の発明において、響線の張力を調整する調整機構を備えていることを特徴とする。
このような構成においては、全ての響線の張力を同時にかつ均一に調整することができる。
【００１２】
第５の発明に係るドラムは、上記第１、第２、第３または第４の発明にかかるドラム用響線を備えていることを特徴とする。
このような構成においては、従来とは異なった音響効果のドラムが得られる。
【００１３】
【発明の実施の形態】
以下、本発明を図面に示す実施の形態に基づいて詳細に説明する。
図１は本発明に係るドラム用響線を備えたマーチングスネアードラムの一部を破断して示す正面図、図２は同響線の一部を破断して示す平面図、図３はＯＮ時における図１のＩＩＩ  −ＩＩＩ  線拡大断面図、図４はＯＦＦ時におけるカムの状態を示す図である。本実施の形態においては、表面側と裏面側のドラムヘッドに対してドラム用響線を設け、これらをドラムヘッドに対して選択的に接触離間させるようにしたドラムに適用した例を示す。
【００１４】
マーチングスネアードラム１０は、比較的深さの深い円筒状の胴本体１１を備え、その各開口部に表面側（打面側）ドラムヘッド１２と、裏面側（非打面側）ドラムヘッド１３がそれぞれ張設されている。これらのドラムヘッド１２，１３は、動物の皮革からなる天然皮革またはポリエステル、ポリカーボネート等の合成樹脂製フィルムによって形成され、外周縁部が環状のヘッド枠１４，１５によってそれぞれ保持されている。ヘッド枠１４，１５は胴本体１１の各開口部の外周に嵌装され、さらに各ヘッド枠１４，１５の外周には締枠１６，１７がそれぞれ嵌合されている。これらの締枠１６，１７は、前記胴本体１１の外周に取付けた複数個のラグ１８にボルト１９によってそれぞれ連結されており、このボルト１９の回転操作によって各ドラムヘッド１２，１３の張力が調節されるように構成されている。すなわち、ボルト１９を締め付けて締枠１６，１７を胴本体１１の中央側に移動させると、締枠１６，１７がヘッド枠１４，１５を押圧して胴本体１１の中央側に移動させるため、ドラムヘッド１２，１３の張力は大きくなる。反対にボルト１９を緩めると、張力は小さくなる。
【００１５】
前記胴本体１１の内部には第１のドラム用響線２２が組み込まれており、この第１のドラム用響線２２を第１のバッケン機構２４によって前記表面側ドラムヘッド１２の裏面に選択的に接触、離間させるようにしている。
【００１６】
前記第１のドラム用響線２２は、図２に示すように複数本からなる細い響線２５（２５ａ〜２５ｎ）によって構成されている。この響線２５は、１本の長い線材２６を丸棒からなる左右一対の支持部材２７，２８に複数回繰り返し掛け渡して形成されることにより一連に連続している。言い換えれば、響線２５は支持部材２７，２８から取り外されると、１本の長い線材２６となる。
【００１７】
線材２６の掛け渡しに当たっては、線材２６の一端を例えば一方の支持部材２７に固定して中間部を両支持部材２７，２８の周面に交互に略１８０°の範囲で添接して掛け渡し、終端を他方の支持部材２８に固定する。このため、線材２６の支持部材２７，２８に添接されている屈曲部分、言い換えれば両端の２本の響線２５ａ，２５ｎの固定端側とは反対側端部と響線２５ｂ〜２５ｎ−１の各端部は、各支持部材２７，２８によって摺動可能に支持されている。この場合、線材２６を各支持部材２７，２８の周面に半周ずつ添接して掛け渡すと、支持部材２７，２８の上下に張設されるが、上方側の線材部分が響線２５ａ〜２５ｎとして用いられ、下方側の線材部分が響線２５ａ〜２５ｎの余長部分として機能し、響線２５ａ〜２５ｎが振動すると共振する。なお、支持部材２７，２８の周面に螺旋溝２９を形成し、この螺旋溝２９に線材２６を掛け渡すと、一定の間隔をおいて掛け渡すことができる。
【００１８】
前記線材２６としては、ＪＩＳ  Ｇ３５２５に規定される直線状の鋼製ワイヤ、例えばＪＩＳ  Ｂ７２の直径が０．６〜２．０ｍｍφ程度のワイヤが用いられ、支持部材２７，２８に一定の間隔（例：２．９ｍｍ）で１０〜３０回程度掛け渡される。なお、鋼製のワイヤに限らずギター巻線、アラミド繊維線（ケブラー線）、ナイロン等の合成樹脂ワイヤ等を用いることも可能である。さらに、直線状のものに限らずコイル状の線材であってもよい。
【００１９】
前記一対の支持部材２７，２８は、左右一対のフレーム３０，３０の両端部間にブラケット３２を介してそれぞれ配設されている。ブラケット３２は、一対のフレーム３０の端部間に複数個のねじ３６によって固定され、上端部にフレーム３０の長手方向に長い長溝３４を有している。また、各プレート３０の端部にも長溝３５が前記長溝３４に対応して形成されており、これらの長溝３４，３５によって前記各支持部材２７，２８の端部を摺動自在に支持している。
【００２０】
また、前記一対の支持部材２７，２８は、長手方向中央部が１本の張力調整機構を構成するロッド３７によって互いに連結されている。このロッド３７は、両端部に雄ねじ３９が形成され、この雄ねじ３９を各支持部材２７，２８に設けたねじ孔に螺合している。したがって、ロッド３７を回転させると、支持部材２７，２８は互いに接近または離間する方向に移動され、これによって響線２５ａ〜２５ｎの張力が調整される。この場合、響線２５ａ〜２５ｎは一連に連続しており、また屈曲部が支持部材２７，２８に摺動自在に添接されて支持されているので、全て均一な張力に調整される。なお、支持部材２７，２８の直径は、６〜５０ｍｍφ程度とされる。また、１本の線の端部を巻き付け、支持部材２７，２８の回転により張力を可変設定するようにしてもよい。
【００２１】
図１、図３および図４において、前記第１のバッケン機構２４は、胴本体１１内に配設された回転軸４０を備えている。この回転軸４０は、前記ドラム用響線２２の下方にこれと平行になるように配設され、両端が胴本体１１に設けた軸受４１によって回転自在に軸支されている。また、回転軸４０の一端は胴本体１１の外部に突出し、その突出端にドラム用響線２２を外部から表面側ドラムヘッド１２の裏面に対して接触、離間させるためのハンドル４２が取付けられている。
【００２２】
さらに、回転軸４０には、この回転軸４０の回転運動を上下運動に変換して前記各ブラケット３２に伝達する一対のカム４３，４３が前記各軸受４１に近設して対向するようにそれぞれ設けられている。カム４３は、各角部が斜めに切り落とされた左右対称な台形状に形成されることにより、上面４３ａ，底面４３ｂおよび左右の斜面４３ｃ，４３ｄからなる４つの面を有し、上面４３ａと斜面４３ｃ（４３ｄ）がカム面を形成し、ドラム用響線２２のＯＮ時に図３に示すように一方の斜面４３ｃ（または４３ｄ）がブラケット３２と接触し、ＯＦＦ時に上面４３ａとブラケット３２が接触するように構成されている。カム４３の回転中心Ｏから上面４３ａまでの距離は、回転中心Ｏから斜面４３ｃまでの距離より長く設定されている。
【００２３】
前記ブラケット３２は、上方に開放するコ字状に形成されることによりカム４３を挟んで平行に対向する左右一対の側板３２ａ，３２ｂと、カム４３の下方に位置し前記側板３２ａ，３２ｂの下端を連結する底板３２ｃとで構成されている。また、側板３２ａ，３２ｂ間には、前記カム４３を挟んで底板３２ｃと対向するガイドプレート４４が止めねじ４５によって固定されている。そして、ブラケット３２は、前記底板３２ｃおよびガイドプレート４４に形成した挿通孔４７，４８を貫通する左右一対のガイドピン５０によって上下動自在に支持され、かつ圧縮コイルばね５１によって上方に付勢されている。
【００２４】
前記ガイドピン５０は、取付板５３に取り付けられている。取付板５３は、Ｌ字型に形成されることにより垂直板５３ａと水平板５３ｂとからなり、垂直板５３ａが前記軸受４１の内側端面にねじ止め固定され、水平板５３ｂが前記ブラケット３２の下方に適宜な間隔を保って位置し、前記一対のガイドピン５０が立設されている。ガイドピン５０の下端部には雄ねじが形成されており、この雄ねじが前記水平板５３ｂに設けたねじ孔に螺合され、袋ナット５４によって固定されている。
【００２５】
前記圧縮コイルばね５１は、前記ガイドピン５０に装着されて上端が前記ガイドプレート４４の下面に圧接され、下端がガイドピン５０の中間部に取付けた止め輪５６に圧接されることにより前記ブラケット３２を上方に付勢している。
【００２６】
このようなバッケン機構２４において、カム４３は響線２５が表面側ドラムヘッド１２に接触しているドラム用響線２２のＯＮ時に図３に示すように横転した状態に保持されている。この状態において、ブラケット３２は圧縮コイルばね５１のばね力によって上方に押し上げられ、底板３２ｃがカム４３の斜面４３ｃに圧接されている。ハンドル４２の操作によってカム４３を回転軸４０とともに図３において反時計方向に所定角度（例えば、７５°）回動させると、カム４３は図４に示すように倒立して底板３２ａを押圧し、ブラケット３２を圧縮コイルばね５１に抗して押し下げる。したがって、響線２５が表面側ドラムヘッド１２から離間し、ＯＮ状態からＯＦＦ状態に切り替わる。
【００２７】
図１において、前記胴本体１１には前記裏面側ドラムヘッド１３の表面に対して接離自在な第２のドラム用響線６０が装着されており、このドラム用響線６０を第２のバッケン機構６１によって裏面側ドラムヘッド１３の表面に選択的に接触、離間させるようにしている。第２のドラム用響線６０は、図２に示した前記第１のドラム用響線２２と同様に１本の長い線材２６を複数回繰り返し折り曲げて一対の支持部材間に掛け渡して形成されることにより、一連に連続した複数本の響線によって構成されている。
【００２８】
図５および図６に第２のドラム用響線６０の例を示す。
図５（ａ）は、板状に形成した左右一対の支持部材６２，６３に回転自在な複数個のローラ６４を支持部材の長手方向に一定の間隔をおいて設け、これらのローラ６４に１本の長い線材２６を交互に添接して掛け渡すことにより、一連に連続した複数本の響線２５ａ〜２５ｎ（左右のローラ５４間の線材部分）を形成し、線材２６の両端を一方の支持部材６２に固定してドラム用響線６０を構成した例を示す。ローラ６４としては、直径が６ｍｍφ程度のものが用いられる。
【００２９】
図５（ｂ）は、左右一対の支持部材６２，６３に複数個のローラ６４をＶ字型に配置し、１本の線材２６をこれらのローラ６４に渦巻き状に添接して掛け渡すことにより一連に連続した複数本の響線２５ａ〜２５ｎを形成し、線材２６の両端を各支持部材６２，６３に固定してドラム用響線６０を構成した例を示す。
【００３０】
図６は、リング状に形成した複数本の線材６６の両端を左右一対の支持部材６２，６３に一定の間隔をおいて掛け渡すことにより複数本の響線２５ａ〜２５ｎを形成し、ドラム用響線６７を構成した例を示す。リング状線材６６は、支持部材６２，６３に掛け渡されると、その半分の線材部分が支持部材６２，６３の表面側に位置して響線２５を形成し、残り半分が裏面側に位置して響線２５の余長部分を形成する。
【００３１】
ここで、図６においては、リング状線材６６を支持部材６２，６３に掛け渡した例を示したが、図５に示したドラム用響線６０と同様に支持部材６２，６３にローラ６４を設け、このローラ６４間にリング状線材６６を掛け渡してもよい。
【００３２】
図１において、前記第２のバッケン機構６１は、胴本体１１の外周に高さ調整可能に固定された第１のホルダー７０と、胴本体１１の外周で前記第１のホルダー７０と周方向に１８０°位相が異なる位置に固定された第２のホルダー７１を備えている。第１のホルダー７０には、前記第２のドラム用響線６０の一方の支持部材６２が連結されている。第２のホルダー７１には、レバー７３によって胴本体１１の軸線方向に移動される移動ベース７４が設けられ、この移動ベース７４に第２のドラム用響線６０の他方の支持部材６３が取り付けられている。レバー７３を操作して移動ベース７４を図１において上下方向に移動させると、第２のドラム用響線６０は裏面側ドラムヘッド１３の表面に対して接触、離間される。
【００３３】
このように、第１、第２のバッケン機構２４，６１を操作すると、第１、第２のドラム用響線２２，６０を表面側ドラムヘッド１２と裏面側ドラムヘッド１３に対してそれぞれ個々独立に接触、離間させることができ、これによって音色を変えることが可能である。
【００３４】
また、図２〜図５に示すドラム用響線２２，６０においては、１本の長い線材２６を複数回繰り返し折り曲げて一対の支持部材２７，２８間に掛け渡すことにより一連に連続した複数本の響線２５ａ〜２５ｎを形成したので、ドラムヘッドに直接接触しない線材部分が響線２５ａ〜２５ｎの余長部分を形成して響線２５ａ〜２５ｎの長さを実質的に長くする。したがって、図８に示す従来の１本１本独立している響線３ａ〜３ｎに比べて振動の減衰が長く音がよく響き、また音量も大きく、従来とは異なった音響特性のドラムを得ることができる。
【００３５】
また、線材２６の両端を支持部材２７または２８に固定するだけでよいので、線材２６の掛け渡し作業が容易で、余分な負荷が響線２５ａ〜２５ｎに加わらず、支持部材２７，２８を接近離間させると響線２５ａ〜２５ｎを音響効果に応じて必要な長さに調整することができる。また、全ての響線２５ａ〜２５ｎの張力を同時にかつ均一に調整することができ、張力調整作業も容易である。
【００３６】
図６に示すドラム用響線６７においては、一対の支持部材６２，６３にリング状線材６６の両端を掛け渡すと、２本の響線２５ａと２５ｂ，２５ｃと２５ｄ，・・・が上下に重なり合い、上下の振動が重なり合うため、音に奥行き感が出る。また、従来の支持部材より２倍以上の長さの線材を用いているので、振動の減衰時間も長くなる。
【００３７】
なお、上記した実施の形態においては、第１、第２のドラム用響線２２、６０を表面側、裏面側ドラムヘッド１２，１３の双方に対して装着した例を示したが、これに限らず表面側ドラムヘッド１２に対しては第１のドラム用響線２２を装着し、裏面側ドラムヘッド１３に対しては図８に示した従来タイプのドラム用響線を装着してもよい。
【００３８】
【発明の効果】
以上述べたように本発明に係るドラム用響線およびドラムによれば、響線を１本の長い線材によって形成することにより一連に連続させたので、振動の減衰時間が長く、また音量が大きく、従来と異なった音響特性のドラム用響線を提供することができる。
また、支持部材に対する取付作業および張力調整作業が容易で、全ての響線の張力を均一に調整することができる。
【図面の簡単な説明】
【図１】本発明に係るドラム用響線を備えたマーチングスネアードラムの一部を破断して示す正面図である。
【図２】同響線の一部を破断して示す平面図である。
【図３】図１のＩＩＩ  −ＩＩＩ  線断面図である。
【図４】ＯＮ時のカムの状態を示す図である。
【図５】（ａ）、（ｂ）はそれぞれドラム用響線の他の実施の形態を示す平面図である。
【図６】ドラム用響線のさらに他の実施の形態を示す平面図である。
【図７】従来のスネアードラムの斜視図である。
【図８】（ａ）、（ｂ）はそれぞれドラム用響線の従来例を示す平面図である。
【符号の説明】
１０…ドラム、１１…胴本体、１２…打面側（表面側）ドラムヘッド、１３…非打面側（裏面側）ドラムヘッド、２２…第１のドラム用響線、２５，２５ａ〜２５ｎ…響線、２４…第１のバッケン機構、２６…線材、２７，２８…支持部材、６０…第２のドラム用響線、６１…第２のバッケン機構、６２，６３…支持部材、６４…ローラ、６６…リング状線材。
【図１】
0003580174.tif 000002
【図２】
0003580174.tif 000003
【図３】
0003580174.tif 000004
【図４】
0003580174.tif 000005
【図５】
0003580174.tif 000006
【図６】
0003580174.tif 000007
【図７】
0003580174.tif 000008
【図８】
0003580174.tif 000009